(57)【要約】  【課題】  電池が必要なゲーム機などでの電池の使用を無くしても、直流電源をゲーム機などに供給することができ、また、無駄な消費電力を使用することなく、節電を図れるテレビ受信機を提供することを目的とする。  【解決手段】  ゲームモードを選択すると、電池の種類のメニュー画面がテレビ画面に表示される。このメニュー画面において、例えば、今からテレビ受信機に接続するゲーム機の使用電池が単三電池２個の場合、「単三電池×２本」を選択し、「決定」をオンすることにより、外部機器用ＤＣ電源１４の出力電力容量が出力電力容量設定手段１５２により設定される。これにより、外部機器用ＤＣ電源１４からは、単三電池×２本に相当する容量の電力の出力が開始される。【選択図】      図１
2005252697.tif 000002
【特許請求の範囲】
【請求項１】
ゲーム機からの映像信号および音声信号を入力するための外部機器用信号入力端子を備
え、前記ゲーム機の信号出力端子と前記外部機器用信号入力端子とを信号用ケーブルで接
続し、前記ゲーム機による映像および音声を出力できる機能を有するテレビ受信機におい
て、前記ゲーム機にＤＣ電源を供給する外部機器用ＤＣ電源と、前記ゲーム機にＤＣ電源
を供給するために前記外部機器用ＤＣ電源に接続された外部機器用ＤＣ電源端子と、電池
の種類と最大出力電流との関係を示す電池種類／最大出力電流テーブルと、メニュー画面
上でユーザが選択した電池種類情報に従い前記電池種類／最大出力電流テーブルを参照し
て前記外部機器用ＤＣ電源の出力電力容量を設定する出力電力容量設定手段とを設けたこ
とを特徴とするテレビ受信機。
【請求項２】
外部機器からの映像信号および音声信号を入力するための外部機器用信号入力端子を備
え、前記外部機器の信号出力端子と前記外部機器用信号入力端子とを信号用ケーブルで接
続し、前記外部機器による映像および音声を出力できる機能を有するテレビ受信機におい
て、前記外部機器にＤＣ電源を供給する外部機器用ＤＣ電源と、前記外部機器にＤＣ電源
を供給するために前記外部機器用ＤＣ電源に接続された外部機器用ＤＣ電源端子とを設け
、更に、メニュー画面上でユーザが選択した電池種類情報に従って前記外部機器用ＤＣ電
源の出力電力容量を切り換える出力電力容量切換処理部を設けたことを特徴とするテレビ
受信機。
【請求項３】
前記出力電力容量切換処理部は、電池の種類と最大出力電流との関係を示す電池種類／
最大出力電流テーブルと、メニュー画面上でユーザが選択した電池種類情報に従い前記電
池種類／最大出力電流テーブルを参照して前記外部機器用ＤＣ電源の出力電力容量を設定
する出力電力容量設定手段とを備えたことを特徴とする請求項２に記載のテレビ受信機。
【請求項４】
ゲーム機からの映像信号および音声信号を入力するための外部機器用信号入力端子を備
え、前記ゲーム機の信号出力端子と前記外部機器用信号入力端子とを信号用ケーブルで接
続し、前記ゲーム機による映像および音声を出力できる機能を有するテレビ受信機におい
て、前記ゲーム機にＤＣ電源を供給する外部機器用ＤＣ電源と、前記ゲーム機にＤＣ電源
を供給するために前記外部機器用ＤＣ電源に接続された外部機器用ＤＣ電源端子と、前記
ゲーム機のＤＣ電源入力端子に電源用ケーブルを介して前記外部機器用ＤＣ電源端子を接
続して前記ゲーム機に初期電源を前記外部機器用ＤＣ電源から出力するように指示する初
期電源出力指示手段と、前記初期電源により流れた負荷電流を検出する負荷電流検出手段
と、前記ゲーム機に流れる負荷電流と電池の種類との関係を示す負荷電流／電池種類テー
ブルと、前記負荷電流検出手段により検出された負荷電流に従い前記負荷電流／電池種類
テーブルを参照して電池の種類を決定する電池種類決定手段と、電池の種類と最大出力電
流との関係を示す電池種類／最大出力電流テーブルと、前記決定された電池の種類に従い
前記電池種類／最大出力電流テーブルを参照して前記外部機器用ＤＣ電源の出力電力容量
を設定する出力電力容量設定手段とを設けたことを特徴とするテレビ受信機。
【請求項５】
外部機器からの映像信号および音声信号を入力するための外部機器用信号入力端子を備
え、前記外部機器の信号出力端子と前記外部機器用信号入力端子とを信号用ケーブルで接
続し、前記外部機器による映像および音声を出力できる機能を有するテレビ受信機におい
て、前記外部機器にＤＣ電源を供給する外部機器用ＤＣ電源と、前記外部機器にＤＣ電源
を供給するために前記外部機器用ＤＣ電源に接続された外部機器用ＤＣ電源端子とを設け
、更に、前記外部機器のＤＣ電源入力端子に電源用ケーブルを介して前記外部機器用ＤＣ
電源端子を接続して前記外部機器に流れた負荷電流に基づいて前記外部機器用ＤＣ電源の
出力電力容量を切り換える出力電力容量切換処理部を設けたことを特徴とするテレビ受信
機。
【請求項６】
前記出力電力容量切換処理部は、前記外部機器のＤＣ電源入力端子に電源用ケーブルを
介して前記外部機器用ＤＣ電源端子を接続して前記外部機器に初期電源を前記外部機器用
ＤＣ電源から出力するように指示する初期電源出力指示手段と、前記初期電源により流れ
た負荷電流を検出する負荷電流検出手段と、前記外部機器に流れる負荷電流と電池の種類
との関係を示す負荷電流／電池種類テーブルと、前記負荷電流検出手段により検出された
負荷電流に従い前記負荷電流／電池種類テーブルを参照して電池の種類を決定する電池種
類決定手段と、電池の種類と最大出力電流との関係を示す電池種類／最大出力電流テーブ
ルと、前記決定された電池の種類に従い前記電池種類／最大出力電流テーブルを参照して
前記外部機器用ＤＣ電源の出力電力容量を設定する出力電力容量設定手段とを備えたこと
を特徴とする請求項５に記載のテレビ受信機。
【請求項７】
前記外部機器はゲーム機であることを特徴とする請求項２または請求項５に記載のテレ
ビ受信機。
【発明の詳細な説明】
【技術分野】
【０００１】
本発明は、ゲーム機などからの映像信号および音声信号を入力するための外部機器用信
号入力端子を備え、ゲーム機などの信号出力端子と外部機器用信号入力端子とを信号用ケ
ーブルで接続し、ゲーム機などによる映像および音声を出力できる機能を有するテレビ受
信機に関する。
【背景技術】
【０００２】
図９は従来のテレビ受信機を用いてテレビゲームを行う場合のゲーム機とテレビ受信機
との接続状態を示す構成図である。図９において、テレビ受信機９１の下方前面には、ゲ
ーム機９２からの映像信号を入力するビデオ入力端子９３と、ゲーム機９２からの左チャ
ンネル音声信号を入力する左音声入力端子９４と、ゲーム機９２からの右チャンネル音声
信号を入力する右音声入力端子９５とが設けられている。
【０００３】
ゲーム機９２には、映像信号を出力するビデオ出力端子９６と左チャンネル音声信号を
出力する左音声出力端子９７と右チャンネル音声信号を出力する右音声出力端子９８とが
設けられている。また、ゲーム機９２には、規定の電池１０４，１０５を収容する電池ケ
ース１０３が設けられている。ビデオ出力端子９６とビデオ入力端子９３はビデオ信号用
ケーブル９９により接続される。左音声出力端子９７と左音声入力端子９４は音声信号用
ケーブル１０１により接続される。右音声出力端子９８と右音声入力端子９５は音声信号
用ケーブル１０２により接続される。このようにゲーム機９２をテレビ受信機９１に接続
することにより、ゲーム機９２はテレビゲームを行うことができる。
【特許文献１】特開平８−２３４７９号公報
【特許文献２】特開平１０−２４３３１８号公報
【特許文献３】特表２００２−５３５９４７号公報
【特許文献４】特開２０００−１８９６７４号公報
【特許文献５】特開２００１−４６７４６号公報
【特許文献６】実用新案登録第３０７７８８４号公報
【発明の開示】
【発明が解決しようとする課題】
【０００４】
しかし、前記ゲーム機９２では、電池を必要とするので、ゲーム途中で電池の消耗によ
り、操作が不能になる場合がある。そこで、ＡＣ１００Ｖの商用電源を所定電圧のＤＣ電
源に変換する電源アダプタを用い、電池の代わりにＤＣ電源としているゲーム機があるが
、この場合、余分に電源アダプタが必要になり、コスト高になる傾向がある。また、ＡＣ
１００Ｖ電源を直接入力して内部でＤＣ電源を生成する電源装置を備えたゲーム機もある
が、ゲーム機自体の形状が大きくなり、コスト高になる傾向がある。
【０００５】
したがって、ゲーム機を駆動させるための電源アダプタを必要とすることがなく、また
、ゲーム機内部に電源装置を設ける必要もないようにした例えば、特許文献１の従来技術
が知られている。この従来技術は、テレビ装置側にゲーム機用の直流電源を設け、この直
流電源からの電力によりゲーム機を駆動させているが、このゲーム機が元々電池で駆動す
るものであるということが開示されていなく、前記直流電源がゲーム機の消費電力に応じ
て出力電力容量が変化するものではないので、無駄な消費電力を使用することになり、節
電を図れないという課題が生じる。
【０００６】
特許文献２の従来技術では、テレビ受像機側にＡＣ１００Ｖ商用電源に接続されたゲー
ム用電源端子が設けられているが、この場合、ゲーム機内部にＤＣ電源を生成する電源装
置が必要となり、これにより、ゲーム機自体の形状が大きくなり、コスト高になる傾向が
ある。
【０００７】
特許文献３の従来技術では、外部直流電源に接続される電源端子を有するプラグユニッ
トを、携帯用ゲーム機のボタン電池ホルダにセットして、携帯用ゲーム機に直流電源を供
給しているが、前記直流電源がゲーム機の消費電力に応じて出力電力容量が変化するもの
ではないので、無駄な消費電力を使用することになり、節電を図れないという課題が生じ
る。
【０００８】
特許文献４，５の従来技術では、ゲーム機をケーブルレスでディスプレイ装置にドッキ
ングすることにより、ゲーム機におけるディスプレイ装置として使用できるように構成し
、ＡＣ外部電源を、ディスプレイ装置を介してゲーム機に供給しているが、この場合、ゲ
ーム機内部にＤＣ電源を生成する電源装置が必要となり、これにより、ゲーム機自体の形
状が大きくなり、コスト高になる傾向がある。
【０００９】
特許文献６の従来技術では、モニタ装置にはＡＣアダプタが付属されており、このＡＣ
アダプタは、ソケットをコンセントに差し込んで、商用電源を整流して直流を生成して電
源プラグにより出力し、ゲーム機などに直流電源を供給するように構成されているが、前
記直流電源がゲーム機などの消費電力に応じて出力電力容量が変化するものではないので
、無駄な消費電力を使用することになり、節電を図れないという課題が生じる。
【００１０】
本発明は、上記のような課題を解決するためになされたもので、電池が必要なゲーム機
などでの電池の使用を無くしても、直流電源をゲーム機などに供給することができ、また
、無駄な消費電力を使用することなく、節電を図れ、また、ゲーム機などは形状を大きく
することなく、コストアップも抑えることができるテレビ受信機を提供することを目的と
する。
【課題を解決するための手段】
【００１１】
上記目的を達成するために、請求項１の発明は、ゲーム機からの映像信号および音声信
号を入力するための外部機器用信号入力端子を備え、前記ゲーム機の信号出力端子と前記
外部機器用信号入力端子とを信号用ケーブルで接続し、前記ゲーム機による映像および音
声を出力できる機能を有するテレビ受信機において、前記ゲーム機にＤＣ電源を供給する
外部機器用ＤＣ電源と、前記ゲーム機にＤＣ電源を供給するために前記外部機器用ＤＣ電
源に接続された外部機器用ＤＣ電源端子と、電池の種類と最大出力電流との関係を示す電
池種類／最大出力電流テーブルと、メニュー画面上でユーザが選択した電池種類情報に従
い前記電池種類／最大出力電流テーブルを参照して前記外部機器用ＤＣ電源の出力電力容
量を設定する出力電力容量設定手段とを設けたことを特徴とするテレビ受信機を提供する
。
【００１２】
この構成において、ユーザがゲーム機のＤＣ電源入力端子に電源用ケーブルを介して外
部機器用ＤＣ電源端子を接続し、リモコンを操作してゲームモードを選択すると、電池の
種類のメニュー画面がテレビ画面に表示される。このメニュー画面において、例えば、今
からテレビ受信機に接続するゲーム機の使用電池が単三電池２個の場合、「単三電池×２
本」を選択し、「決定」をオンすることにより、外部機器用ＤＣ電源の出力電力容量が出
力電力容量設定手段により設定される。
【００１３】
この出力電力容量設定手段は、メニュー画面に表示された「単三電池×２本」という電
池種類情報を示す電池種類信号に従って電池種類／最大出力電流テーブルを参照し、出力
電力が最も大きいときで「単三電池×２本」の最大出力電流に相当する最大出力電流が、
外部機器用ＤＣ電源から出力できるように外部機器用ＤＣ電源を制御する。これにより、
外部機器用ＤＣ電源からは、単三電池×２本に相当する容量の電力の出力が開始される。
【００１４】
この構成によれば、テレビ受信機に外部機器用ＤＣ電源と外部機器用ＤＣ電源端子を備
えたので、電池が必要なゲーム機のＤＣ電源入力端子を、電源用ケーブルを介して外部機
器用ＤＣ電源端子に接続することにより、外部機器用ＤＣ電源からの電力をゲーム機に供
給することができ、これにより、電池を使用しなくてもゲーム機を駆動でき、電池の消耗
による操作不能を防止できる。また、ゲーム機自体は形状を大きくすることなく、コスト
アップも抑えることができる。
【００１５】
また、ユーザにより選択された電池種類情報に従って出力電力容量切換処理部は、外部
機器用ＤＣ電源の出力電力容量を切り換えるので、ゲーム機に設定される電池の種類に応
じた出力電力容量でゲーム機を駆動させることができ、これにより、無駄な電力を消費す
るようなことがなくなり、節電を図れる。
【００１６】
請求項２の発明は、外部機器からの映像信号および音声信号を入力するための外部機器
用信号入力端子を備え、前記外部機器の信号出力端子と前記外部機器用信号入力端子とを
信号用ケーブルで接続し、前記外部機器による映像および音声を出力できる機能を有する
テレビ受信機において、前記外部機器にＤＣ電源を供給する外部機器用ＤＣ電源と、前記
外部機器にＤＣ電源を供給するために前記外部機器用ＤＣ電源に接続された外部機器用Ｄ
Ｃ電源端子とを設け、更に、メニュー画面上でユーザが選択した電池種類情報に従って前
記外部機器用ＤＣ電源の出力電力容量を切り換える出力電力容量切換処理部を設けたこと
を特徴とするテレビ受信機を提供する。
【００１７】
この構成において、ユーザが外部機器のＤＣ電源入力端子に電源用ケーブルを介して外
部機器用ＤＣ電源端子を接続し、リモコンを操作して外部機器モードを選択すると、電池
の種類のメニュー画面がテレビ画面に表示される。このメニュー画面において、例えば、
今からテレビ受信機に接続する外部機器の使用電池が単三電池２個の場合、「単三電池×
２本」を選択し、「決定」をオンすることにより、出力電力容量切換処理部によって外部
機器用ＤＣ電源の出力電力容量が設定される。
【００１８】
この構成によれば、テレビ受信機に外部機器用ＤＣ電源と外部機器用ＤＣ電源端子を備
えたので、電池が必要な外部機器のＤＣ電源入力端子を、電源用ケーブルを介して外部機
器用ＤＣ電源端子に接続することにより、外部機器用ＤＣ電源からの電力を外部機器に供
給することができ、これにより、電池を使用しなくても外部機器を駆動でき、電池の消耗
による操作不能を防止できる。また、外部機器自体は形状を大きくすることなく、コスト
アップも抑えることができる。
【００１９】
また、ユーザにより選択された電池種類情報に従って出力電力容量切換処理部は、外部
機器用ＤＣ電源の出力電力容量を切り換えるので、外部機器に設定される電池の種類に応
じた出力電力容量で外部機器を駆動させることができ、これにより、無駄な電力を消費す
るようなことがなくなり、節電を図れる。
【００２０】
請求項３の発明では、請求項２の発明において、前記出力電力容量切換処理部は、電池
の種類と最大出力電流との関係を示す電池種類／最大出力電流テーブルと、メニュー画面
上でユーザが選択した電池種類情報に従い前記電池種類／最大出力電流テーブルを参照し
て前記外部機器用ＤＣ電源の出力電力容量を設定する出力電力容量設定手段とを備えたの
で、ユーザにより選択された電池種類情報に従って、外部機器用ＤＣ電源の出力電力容量
を切り換えることが可能になる。
【００２１】
請求項４の発明は、ゲーム機からの映像信号および音声信号を入力するための外部機器
用信号入力端子を備え、前記ゲーム機の信号出力端子と前記外部機器用信号入力端子とを
信号用ケーブルで接続し、前記ゲーム機による映像および音声を出力できる機能を有する
テレビ受信機において、前記ゲーム機にＤＣ電源を供給する外部機器用ＤＣ電源と、前記
ゲーム機にＤＣ電源を供給するために前記外部機器用ＤＣ電源に接続された外部機器用Ｄ
Ｃ電源端子と、前記ゲーム機のＤＣ電源入力端子に電源用ケーブルを介して前記外部機器
用ＤＣ電源端子を接続して前記ゲーム機に初期電源を前記外部機器用ＤＣ電源から出力す
るように指示する初期電源出力指示手段と、前記初期電源により流れた負荷電流を検出す
る負荷電流検出手段と、前記ゲーム機に流れる負荷電流と電池の種類との関係を示す負荷
電流／電池種類テーブルと、前記負荷電流検出手段により検出された負荷電流に従い前記
負荷電流／電池種類テーブルを参照して電池の種類を決定する電池種類決定手段と、電池
の種類と最大出力電流との関係を示す電池種類／最大出力電流テーブルと、前記決定され
た電池の種類に従い前記電池種類／最大出力電流テーブルを参照して前記外部機器用ＤＣ
電源の出力電力容量を設定する出力電力容量設定手段とを設けたことを特徴とするテレビ
受信機を提供する。
【００２２】
この構成において、ユーザがゲーム機のＤＣ電源入力端子に電源用ケーブルを介して外
部機器用ＤＣ電源端子を接続し、リモコンを操作してゲームモードを選択すると、初期電
源出力指示手段によりゲーム機に初期電源を外部機器用ＤＣ電源から出力するように指示
する。これにより、外部機器用ＤＣ電源からの初期電源による負荷電流がゲーム機に流れ
、この負荷電流を負荷電流検出手段により検出する。次に、負荷電流検出手段により検出
された負荷電流に従い負荷電流／電池種類テーブルを参照して電池の種類を電池種類決定
手段により決定する。
【００２３】
次に、出力電力容量設定手段は、電池種類決定手段により決定された電池の種類（例え
ば単三電池×２本）に従って電池種類／最大出力電流テーブルを参照し、出力電力が最も
大きいときで、例えば単三電池×２本の最大出力電流に相当する最大出力電流が外部機器
用ＤＣ電源から出力できるように、外部機器用ＤＣ電源に対して出力電力容量を設定する
。これにより、外部機器用ＤＣ電源からは、例えば単三電池×２本に相当する容量の電力
の出力が開始される。
【００２４】
この構成によれば、テレビ受信機に外部機器用ＤＣ電源と外部機器用ＤＣ電源端子を備
えたので、電池が必要なゲーム機のＤＣ電源入力端子を、電源用ケーブルを介して外部機
器用ＤＣ電源端子に接続することにより、外部機器用ＤＣ電源からの電力をゲーム機に供
給することができ、これにより、電池を使用しなくてもゲーム機を駆動でき、電池の消耗
による操作不能を防止できる。また、ゲーム機自体は形状を大きくすることなく、コスト
アップも抑えることができる。
【００２５】
また、出力電力容量切換処理部は、初期電源により検出されたゲーム機の負荷電流に基
づいて得られた電池種類情報に従って外部機器用ＤＣ電源の出力電力容量を自動的に切り
換えるので、ゲーム機に設定される電池の種類に応じた出力電力容量でゲーム機を駆動さ
せることができ、これにより、無駄な電力を消費するようなことがなくなり、節電を図れ
る。
【００２６】
請求項５の発明は、外部機器からの映像信号および音声信号を入力するための外部機器
用信号入力端子を備え、前記外部機器の信号出力端子と前記外部機器用信号入力端子とを
信号用ケーブルで接続し、前記外部機器による映像および音声を出力できる機能を有する
テレビ受信機において、前記外部機器にＤＣ電源を供給する外部機器用ＤＣ電源と、前記
外部機器にＤＣ電源を供給するために前記外部機器用ＤＣ電源に接続された外部機器用Ｄ
Ｃ電源端子とを設け、更に、前記外部機器のＤＣ電源入力端子に電源用ケーブルを介して
前記外部機器用ＤＣ電源端子を接続して外部機器に流れた負荷電流に基づいて前記外部機
器用ＤＣ電源の出力電力容量を切り換える出力電力容量切換処理部を設けたことを特徴と
するテレビ受信機を提供する。
【００２７】
この構成において、ユーザがゲーム機のＤＣ電源入力端子に電源用ケーブルを介して外
部機器用ＤＣ電源端子を接続し、リモコンを操作して外部機器モードを選択すると、外部
機器用ＤＣ電源から電流が外部機器に流れ、この負荷電流に従い外部機器用ＤＣ電源の出
力電力容量が切り換えられる。
【００２８】
この構成によれば、テレビ受信機に外部機器用ＤＣ電源と外部機器用ＤＣ電源端子を備
えたので、電池が必要な外部機器のＤＣ電源入力端子を、電源用ケーブルを介して外部機
器用ＤＣ電源端子に接続することにより、外部機器用ＤＣ電源からの電力を外部機器に供
給することができ、これにより、電池を使用しなくても外部機器を駆動でき、電池の消耗
による操作不能を防止できる。また、外部機器自体は形状を大きくすることなく、コスト
アップも抑えることができる。
【００２９】
また、出力電力容量切換処理部は、外部機器の負荷電流に基づいて得られた電池種類情
報に従って外部機器用ＤＣ電源の出力電力容量を自動的に切り換えるので、外部機器に設
定される電池の種類に応じた出力電力容量で外部機器を駆動させることができ、これによ
り、無駄な電力を消費するようなことがなくなり、節電を図れる。
【００３０】
請求項６の発明では、請求項５の発明において、前記出力電力容量切換処理部は、前記
外部機器のＤＣ電源入力端子に電源用ケーブルを介して前記外部機器用ＤＣ電源端子を接
続して前記外部機器に初期電源を前記外部機器用ＤＣ電源から出力するように指示する初
期電源出力指示手段と、前記初期電源により流れた負荷電流を検出する負荷電流検出手段
と、前記外部機器に流れる負荷電流と電池の種類との関係を示す負荷電流／電池種類テー
ブルと、前記負荷電流検出手段により検出された負荷電流に従い前記負荷電流／電池種類
テーブルを参照して電池の種類を決定する電池種類決定手段と、電池の種類と最大出力電
流との関係を示す電池種類／最大出力電流テーブルと、前記決定された電池の種類に従い
前記電池種類／最大出力電流テーブルを参照して前記外部機器用ＤＣ電源の出力電力容量
を設定する出力電力容量設定手段とを備えたので、初期電源により検出された外部機器の
負荷電流に基づいて得られた電池種類情報に従って外部機器用ＤＣ電源の出力電力容量を
自動的に切り換えることが可能になる。
【００３１】
請求項７の発明では、請求項２または請求項５の発明において、前記外部機器はゲーム
機であるので、特に、電池が必要なゲーム機に対しての電源面で効果を発揮する。
【発明の効果】
【００３２】
以上のように本発明によれば、ゲーム機などにＤＣ電源を供給する外部機器用ＤＣ電源
と、ゲーム機などにＤＣ電源を供給するために外部機器用ＤＣ電源に接続された外部機器
用ＤＣ電源端子とを設け、更に、メニュー画面上でユーザが選択した電池種類情報に従っ
て外部機器用ＤＣ電源の出力電力容量を切り換える出力電力容量切換処理部を設けたので
、電池が必要なゲーム機などのＤＣ電源入力端子を、電源用ケーブルを介して外部機器用
ＤＣ電源端子に接続することができ、これにより、外部機器用ＤＣ電源からの電力をゲー
ム機などに供給することができ、したがって、電池を使用しなくてもゲーム機などを駆動
でき、電池の消耗による操作不能を防止できる。また、ゲーム機など自体は形状を大きく
することなく、コストアップも抑えることができる。また、ユーザにより選択された電池
種類情報に従って出力電力容量切換処理部は、外部機器用ＤＣ電源の出力電力容量を切り
換えるので、ゲーム機などに設定される電池の種類に応じた出力電力容量でゲーム機など
を駆動させることができ、これにより、無駄な電力を消費するようなことがなくなり、節
電を図れる。
【００３３】
また、本発明によれば、ゲーム機などにＤＣ電源を供給する外部機器用ＤＣ電源と、ゲ
ーム機などにＤＣ電源を供給するために前記外部機器用ＤＣ電源に接続された外部機器用
ＤＣ電源端子とを設け、更に、ゲーム機などのＤＣ電源入力端子に電源用ケーブルを介し
て前記外部機器用ＤＣ電源端子を接続してゲーム機などに流れた負荷電流に基づいて前記
外部機器用ＤＣ電源の出力電力容量を切り換える出力電力容量切換処理部を設けたので、
電池が必要なゲーム機などのＤＣ電源入力端子を、電源用ケーブルを介して外部機器用Ｄ
Ｃ電源端子に接続することができ、これにより、外部機器用ＤＣ電源からの電力をゲーム
機などに供給することができ、したがって、電池を使用しなくてもゲーム機などを駆動で
き、電池の消耗による操作不能を防止できる。また、ゲーム機など自体は形状を大きくす
ることなく、コストアップも抑えることができる。また、出力電力容量切換処理部は、ゲ
ーム機などの負荷電流に基づいて得られた電池種類情報に従って外部機器用ＤＣ電源の出
力電力容量を自動的に切り換えるので、ゲーム機などに設定される電池の種類に応じた出
力電力容量でゲーム機などを駆動させることができ、これにより、無駄な電力を消費する
ようなことがなくなり、節電を図れる。
【発明を実施するための最良の形態】
【００３４】
以下、添付図面を参照しつつ、本発明の実施の形態について説明する。図１は本発明の
第１の実施形態に係るテレビ受信機における電源部の構成を示すブロック図である。
【００３５】
図１において、このテレビ受信機の電源部は、ＡＣ１００Ｖの商用電源のコンセントに
差し込むプラグ１と、このプラグ１に接続されたＡＣ１００Ｖの電源ラインに介在するヒ
ューズ２と、前記電源ラインを通じてノイズがテレビ受信機に混入したり、テレビ受信機
内部で発生するノイズが外部に漏れないようにしたりするラインフィルタ３と、このライ
ンフィルタ３の出力ラインに介在する主電源スイッチ４と、図示しないリモコンからの赤
外線信号を受ける受光部に電源を供給するリモコン用電源９と、ラインフィルタ３の出力
ラインに介在し前記リモコンからの操作によりオン／オフされるリモコン対応電源スイッ
チ５と、主電源スイッチ４をオンすると時間と共に減少する交流電流を消磁コイル１０に
流してシャドウマスクを消磁するサーミスタ１１と、ラインフィルタ３の出力ラインから
の交流電流を整流する整流回路６と、この整流回路６で整流された整流電流（脈流）のリ
ップル分を取り除き直流電圧として出力する平滑回路７と、この平滑回路７からの直流電
圧を入力してその直流電圧が一定となるように処理を行い一定の直流電圧を出力する安定
化回路８とを備えている。この安定化回路８から出力された一定の直流電圧は、テレビ受
信機の所定回路に供給される。
【００３６】
なお、消磁コイル１０とサーミスタ１１とはブラウン管を使用したテレビ受信機の場合
に必要とするが、液晶型テレビ受信機やプラズマ型テレビ受信機では必要がない。したが
って、ここで述べるテレビジョンはブラウン管を用いたものを例に挙げて説明するが、電
源部の電源回路は、図１の構成に限ることはない。
【００３７】
また、このテレビ受信機の電源部は外部機器用ＤＣ電源１４を備え、この外部機器用Ｄ
Ｃ電源１４は、主電源スイッチ４、リモコン対応電源スイッチ５、および外部機器用電源
スイッチ１２を介してラインフィルタ３の出力ラインに接続されている。したがって、主
電源スイッチ４および外部機器用電源スイッチ１２がオン状態のときに、外部機器用ＤＣ
電源１４にＡＣ１００Ｖの電力が供給されることになる。外部機器用電源スイッチ１２は
、電源オン／オフ制御回路１３により制御され、電源オン／オフ制御回路１３は、ゲーム
モード時には外部機器用電源スイッチ１２をオンさせ、ゲームモード以外のモード時には
外部機器用電源スイッチ１２をオフさせる。
【００３８】
この外部機器用ＤＣ電源１４は、ラインフィルタ３の出力ラインからの交流電流を整流
する整流回路１４１と、この整流回路１４１で整流された整流電流（脈流）のリップル分
を取り除き直流電圧として出力する平滑回路１４２と、この平滑回路１４２からの直流電
圧を入力してその直流電圧が一定となるように処理を行い一定の直流電圧を出力する安定
化回路１４３とを備えている。この安定化回路１４３から出力された一定の直流電圧は、
外部機器用ＤＣ電源１４に接続された外部機器用ＤＣ電源端子１６から出力され、図示し
ない電源用ケーブルを介してゲーム機に供給される。
【００３９】
また、このテレビ受信機の電源部は、電池の種類と最大出力電流との関係を示す電池種
類／最大出力電流テーブル１５１と、メニュー画面上でユーザが選択した電池種類情報に
従い前記電池種類／最大出力電流テーブル１５１を参照して外部機器用ＤＣ電源１４の出
力電力容量を設定する出力電力容量設定手段１５２とを有する出力電力容量切換処理部１
５を備えている。また、このテレビ受信機は、全体を制御するシステムコントローラ１７
を備えている。
【００４０】
図２は第１の実施形態において外部機器用ＤＣ電源１４の出力電力容量を切り換える動
作を説明するためのフローチャートである。このフローチャートを参照して外部機器用Ｄ
Ｃ電源１４の出力電力容量を切り換える動作を説明する。
【００４１】
先ず、テレビ受信機の主電源スイッチ４をオンし、更に、リモコンを操作してリモコン
対応電源スイッチ５をオンし、テレビ受信機を動作状態にする。なお、前回の電源オフ時
に、リモコンを操作し、リモコン対応電源スイッチ５だけをオフして、主電源スイッチ４
をオフしていなかった場合は、電源オン操作は、リモコンを操作してリモコン対応電源ス
イッチ５をオンさせれば、テレビ受信機は動作状態になる。
【００４２】
そして、テレビ受信機において、ゲームモードが選択されていない場合は（ステップＳ
１）、他のモード（テレビモードあるいはビデオモード）になっており、他のモードで動
作可能になっているが（ステップＳ２）、ユーザがゲーム機のＤＣ電源入力端子に電源用
ケーブルを介して外部機器用ＤＣ電源端子１６を接続し、リモコンを操作してゲームモー
ドを選択すると（ステップＳ１）、電池の種類の設定画面が例えば図３に示すようなメニ
ュー画面としてテレビ画面に表示される（ステップＳ３）。
【００４３】
このメニュー画面において、初期値は０ＦＦとしておき、例えば、今からテレビ受信機
に接続するゲーム機の使用電池が単三電池２個の場合は、カーソルを操作して「単三電池
×２本」を選択し、「決定」をオンすることにより（ステップＳ４）、外部機器用ＤＣ電
源１４の出力電力容量が出力電力容量設定手段１５２により設定される（ステップＳ５）
。この出力電力容量設定手段１５２は、メニュー画面に表示された「単三電池×２本」と
いう電池種類情報を示す電池種類信号に従って電池種類／最大出力電流テーブル１５１を
参照し、出力電力が最も大きいときで「単三電池×２本」の最大出力電流に相当する最大
出力電流が外部機器用ＤＣ電源１４から出力できるように、安定化回路１４３を制御する
。これにより、外部機器用ＤＣ電源１４からは、単三電池×２本に相当する容量の電力の
出力が開始される（ステップＳ６）。
【００４４】
この結果、ゲーム機は動作可能状態になるので、ユーザはゲーム機を駆動させてゲーム
を開始し（ステップＳ７）、ゲームを終了した場合は（ステップＳ８）、テレビ電源をリ
モコンでオフするか、またはゲームモード以外のモードに設定する（ステップＳ９）。リ
モコンでテレビ電源をオフした場合は、リモコン対応スイッチ５がオフされるので、外部
機器用ＤＣ電源１４がオフする（ステップＳ１０）。また、ゲームモード以外のモードに
設定した場合は、電源オン／オフ制御回路１３によって外部機器用電源スイッチ１２がオ
フされるので、外部機器用ＤＣ電源１４がオフする（ステップＳ１０）。
【００４５】
ユーザがゲーム途中で例えばテレビ番組を視聴したくなって、一時的にゲームを中断し
た場合（ステップＳ１１）、システムコントローラ１７は、ゲーム中断してから所定時間
（例えば３０分や１時間）経過したか否かを判定し（ステップＳ１２）、所定時間経過す
れば電源オン／オフ制御回路１３を制御して外部機器用電源スイッチ１２をオフさせ、こ
れにより、外部機器用ＤＣ電源１４をオフさせるが（ステップＳ１３）、所定時間経過前
にゲームを再開した場合は（ステップＳ１４）、ステップＳ８の処理に戻る。
【００４６】
なお、一時的にゲームを中断して、例えばテレビモードにした場合は、外部機器用電源
スイッチ１２がオン状態を維持するように、システムコントローラ１７は電源オン／オフ
制御回路１３を制御する。ゲーム途中でゲーム電源をオフすると、初期状態になるので、
これを防ぐため、ゲーム用ＤＣ電源１４をオンのままにしておき、所定時間が経過すれば
、ゲームを再開しないと見なし、節電のためゲーム用ＤＣ電源１４をオフするようにして
いる。
【００４７】
この第１の実施形態によれば、テレビ受信機に外部機器用ＤＣ電源１４と外部機器用Ｄ
Ｃ電源端子１６を備えたので、電池が必要なゲーム機のＤＣ電源入力端子を、電源用ケー
ブルを介して外部機器用ＤＣ電源端子１６に接続することにより、外部機器用ＤＣ電源１
４からの電力をゲーム機に供給することができ、これにより、電池を使用しなくてもゲー
ム機を駆動でき、電池の消耗による操作不能を防止できる。また、ゲーム機自体は形状を
大きくすることなく、コストアップも抑えることができる。
【００４８】
また、ユーザにより選択された電池種類情報に従って出力電力容量切換処理部１５は、
外部機器用ＤＣ電源１４の出力電力容量を切り換えるので、ゲーム機に設定される電池の
種類に応じた出力電力容量でゲーム機を駆動させることができ、これにより、無駄な電力
を消費するようなことがなくなり、節電を図れる。
【００４９】
図４は本発明の第２の実施形態に係るテレビ受信機における電源部の構成を示すブロッ
ク図である。図４において、図１に示す構成要素に対応するものには同一の符号を付し、
その説明を省略する。
【００５０】
図４において、出力電力容量切換処理部１８は、ゲーム機のＤＣ電源入力端子に電源用
ケーブルを介して外部機器用ＤＣ電源端子１６を接続してゲーム機に初期電源を外部機器
用ＤＣ電源１４から出力するように指示する初期電源出力指示手段１８１と、前記初期電
源により流れた負荷電流を検出する負荷電流検出手段１８２と、ゲーム機に流れる負荷電
流と電池の種類との関係を示す負荷電流／電池種類テーブル１８３と、負荷電流検出手段
１８２により検出された負荷電流に従い負荷電流／電池種類テーブル１８３を参照して電
池の種類を決定する電池種類決定手段１８４と、電池の種類と最大出力電流との関係を示
す電池種類／最大出力電流テーブル１８５と、前記決定された電池の種類に従い電池種類
／最大出力電流テーブル１８５を参照して外部機器用ＤＣ電源１４の出力電力容量を設定
する出力電力容量設定手段１８６とを備えている。
【００５１】
図５は第２の実施形態において外部機器用ＤＣ電源１４の出力電力容量を切り換える動
作を説明するためのフローチャートである。このフローチャートを参照して外部機器用Ｄ
Ｃ電源１４の出力電力容量を切り換える動作を説明する。
【００５２】
先ず、テレビ受信機の主電源スイッチ４をオンし、更に、リモコンを操作してリモコン
対応電源スイッチ５をオンし、テレビ受信機を動作状態にする。なお、前回の電源オフ時
に、リモコンを操作し、リモコン対応電源スイッチ５だけをオフして、主電源スイッチ４
をオフしていなかった場合は、電源オン操作は、リモコンを操作してリモコン対応電源ス
イッチ５をオンさせれば、テレビ受信機は動作状態になる。
【００５３】
そして、テレビ受信機において、ゲームモードが選択されていない場合は（ステップＮ
１）、他のモード（テレビモードあるいはビデオモード）になっており、他のモードで動
作可能になっているが（ステップＮ２）、ユーザがゲーム機のＤＣ電源入力端子に電源用
ケーブルを介して外部機器用ＤＣ電源端子１６を接続し、リモコンを操作してゲームモー
ドを選択すると（ステップＮ１）、初期電源出力指示手段１８１によりゲーム機に初期電
源を外部機器用ＤＣ電源１４から出力するように指示する（ステップＮ３）。これにより
、外部機器用ＤＣ電源１４からの初期電源による負荷電流がゲーム機に流れ、この負荷電
流を負荷電流検出手段１８２により検出する（ステップＮ４）。
【００５４】
次に、負荷電流検出手段１８２により検出された負荷電流に従い負荷電流／電池種類テ
ーブル１８３を参照して電池の種類を電池種類決定手段１８４により決定する（ステップ
Ｎ５）。負荷電流が大きければ、ゲーム機は大きい電池が設定されるようになっており、
逆に負荷電流が小さければ、ゲーム機は小さい電池で済むので、小さい電池が設定される
ようになっている。例えば、負荷電流がＸ１〜Ｘ２（ｍＡ）であれば単四電池２個に対応
し、負荷電流がＸ３〜Ｘ４（ｍＡ）であれば単三電池２個に対応し、負荷電流がＸ５〜Ｘ
６（ｍＡ）であれば単二電池２個に対応し、負荷電流がＸ７〜Ｘ８（ｍＡ）であれば単一
電池２個に対応するとし、これらの関係を示す負荷電流／電池種類テーブル１８３をメモ
リに記憶させておく。但し、Ｘ１＜Ｘ２＜Ｘ３＜Ｘ４＜Ｘ５＜Ｘ６＜Ｘ７＜Ｘ８である。
【００５５】
次に、出力電力容量設定手段１８６は、電池種類決定手段１８４により決定された電池
の種類（例えば単三電池×２本）に従って電池種類／最大出力電流テーブル１８５を参照
し、出力電力が最も大きいときで、例えば単三電池×２本の最大出力電流に相当する最大
出力電流が外部機器用ＤＣ電源１４から出力できるように、安定化回路１４３に対して出
力電力容量を設定する（ステップＮ６）。これにより、外部機器用ＤＣ電源１４からは、
例えば単三電池×２本に相当する容量の電力の出力が開始される（ステップＮ７）。
【００５６】
これにより、ゲーム機は動作可能状態になるので、ユーザは、ゲーム機を駆動させてゲ
ームを開始し（ステップＮ８）、ゲームを終了した場合は（ステップＮ９）、テレビ電源
をリモコンでオフするか、またはゲームモード以外のモードに設定する（ステップＮ１０
）。リモコンでテレビ電源をオフした場合は、リモコン対応スイッチ５がオフされるので
、外部機器用ＤＣ電源１４がオフする（ステップＮ１１）。また、ゲームモード以外のモ
ードに設定した場合は、電源オン／オフ制御回路１３によって外部機器用電源スイッチ１
２がオフされるので、外部機器用ＤＣ電源１４がオフする（ステップＮ１１）。
【００５７】
ユーザがゲーム途中で例えばテレビ番組を視聴したくなって、一時的にゲームを中断し
た場合（ステップＮ１２）、システムコントローラ１７は、ゲーム中断してから所定時間
（例えば３０分や１時間）経過したか否かを判定し（ステップＮ１３）、所定時間経過す
れば電源オン／オフ制御回路１３を制御して外部機器用電源スイッチ１２をオフさせ、こ
れにより、外部機器用ＤＣ電源１４をオフさせるが（ステップＮ１４）、所定時間経過前
にゲームを再開した場合は（ステップＮ１５）、ステップＮ９の処理に戻る。
【００５８】
なお、一時的にゲームを中断して、例えばテレビモードにした場合は、外部機器用電源
スイッチ１２がオン状態を維持するように、システムコントローラ１７は電源オン／オフ
制御回路１３を制御する。ゲーム途中でゲーム電源をオフすると、初期状態になるので、
これを防ぐため、ゲーム用ＤＣ電源１４をオンのままにしておき、所定時間が経過すれば
、ゲームを再開しないと見なし、節電のためゲーム用ＤＣ電源１４をオフするようにして
いる。
【００５９】
この第２の実施形態によれば、テレビ受信機に外部機器用ＤＣ電源１４と外部機器用Ｄ
Ｃ電源端子１６を備えたので、電池が必要なゲーム機のＤＣ電源入力端子を、電源用ケー
ブルを介して外部機器用ＤＣ電源端子１６に接続することにより、外部機器用ＤＣ電源１
４からの電力をゲーム機に供給することができ、これにより、電池を使用しなくてもゲー
ム機を駆動でき、電池の消耗による操作不能を防止できる。また、ゲーム機自体は形状を
大きくすることなく、コストアップも抑えることができる。
【００６０】
また、出力電力容量切換処理部１８は、初期電源により検出されたゲーム機の負荷電流
に基づいて得られた電池種類情報に従って外部機器用ＤＣ電源１４の出力電力容量を自動
的に切り換えるので、ゲーム機に設定される電池の種類に応じた出力電力容量でゲーム機
を駆動させることができ、これにより、無駄な電力を消費するようなことがなくなり、節
電を図れる。
【００６１】
以下、図６〜図８を参照してゲーム機をテレビ受信機に接続する場合の接続状態につい
て説明する。図６は、第１の実施形態または第２の実施形態においてゲーム機をテレビ受
信機に接続する場合の第１の接続例を示す構成図である。図７は、第１の実施形態または
第２の実施形態においてゲーム機をテレビ受信機に接続する場合の第２の接続例を示す構
成図である。図８は、第１の実施形態または第２の実施形態においてゲーム機をテレビ受
信機に接続する場合の第３の接続例を示す構成図である。
【００６２】
先ず、図６において、テレビ受信機６１の下方前面には、外部機器用ＤＣ電源端子６３
（図１中または図４中の外部機器用ＤＣ電源端子１６に相当）と、ゲーム機６２からの映
像信号を入力するビデオ入力端子６４と、ゲーム機６２からの左チャンネル音声信号を入
力する左音声入力端子６５と、ゲーム機６２からの右チャンネル音声信号を入力する右音
声入力端子６６とが設けられている。
【００６３】
ゲーム機６２には、ＤＣ電源入力端子６７と映像信号を出力するビデオ出力端子６８と
左チャンネル音声信号を出力する左音声出力端子６９と右チャンネル音声信号を出力する
右音声出力端子７０とが設けられている。また、ゲーム機６２には、規定の電池を収容す
る電池ケース７１が設けられている。外部機器用ＤＣ電源端子６３とＤＣ電源入力端子６
７は電源用ケーブル７２により接続される。ＤＣ電源入力端子６７は、電池ケース７１内
の図示しない電源ラインを介してプラス電池接触端子７１ａとマイナス電池接触端子７１
ｂとにそれぞれ接続されている。ビデオ出力端子６８とビデオ入力端子６４はビデオ信号
用ケーブル７３により接続される。左音声出力端子６９と左音声入力端子６５は音声信号
用ケーブル７４により接続される。右音声出力端子７０と右音声入力端子６６は音声信号
用ケーブル７５により接続される。
【００６４】
このような接続構成により、ゲーム機６２に電池が無くても、テレビ受信機１６からゲ
ーム機６２に電源を供給できるので、ゲーム機６２は駆動可能になり、ゲームを行うこと
ができる。
【００６５】
図７において、テレビ受信機６１の下方前面には、外部機器用ＤＣ電源端子６３（図１
中または図４中の外部機器用ＤＣ電源端子１６に相当）と、ゲーム機６２からの映像信号
を入力するビデオ入力端子６４と、ゲーム機６２からの左チャンネル音声信号を入力する
左音声入力端子６５と、ゲーム機６２からの右チャンネル音声信号を入力する右音声入力
端子６６とが設けられている。
【００６６】
ゲーム機６２には、ＤＣ電源入力端子６７と映像信号を出力するビデオ出力端子６８と
左チャンネル音声信号を出力する左音声出力端子６９と右チャンネル音声信号を出力する
右音声出力端子７０とが設けられている。また、ゲーム機６２には、規定の電池を収容す
る電池ケース７１が設けられている。この電池ケース７１には、電池ケース７１内部に合
わせた形状を有する電池電極プラグ７７が、電池ケース７１内部に設定されており、電池
ケース７１内部の電池接触端子７１ａ，７１ｂ，７１ｃ，７１ｄに接触している。
【００６７】
したがって、ゲーム機６２の電源として供給するプラス極を電池接触端子７１ａとし、
マイナス極を電池接触端子７１ｂとすると、電池電極プラグ７７におけるプラス電極７７
ａとマイナス電極７７ｂとを内部でそれぞれ接続した電源用ケーブル７６をテレビ受信機
６１側の外部機器用ＤＣ電源端子６３に接続することにより、ゲーム機６２にテレビ受信
機６１からの電源が供給されることになる。
【００６８】
図８において、８１はテレビ受信機６１のＤ端子の予備端子であり、この予備端子８１
を用いることにより、ゲーム用ＤＣ電源入力端子８１ａとビデオ入力端子８１ｂと左音声
入力端子８１ｃと右音声入力端子８１ｄとを兼ねる。８２はゲーム機６２のＤ端子の予備
端子であり、この予備端子８２を用いることにより、ＤＣ電源入力端子８２ａとビデオ出
力端子８２ｂと左音声出力端子８２ｃと右音声出力端子８２ｄとを兼ねる。予備端子８２
のＤＣ電源入力端子８２ａは、ゲーム機６２内の図示しない電源ラインを介して電池ケー
ス７１のプラス電池接触端子７１ａとマイナス電池接触端子７１ｂとにそれぞれ接続され
ている。予備端子８１と予備端子８２は、内部に電源線と複数本の信号線が含まれるケー
ブル８３により接続される。
【００６９】
このような接続構成により、ゲーム機６２に電池が無くても、テレビ受信機１６からゲ
ーム機６２に電源を供給できるので、ゲーム機６２は駆動可能になり、ゲームを行うこと
ができる。
【００７０】
なお、以上説明した実施形態では、テレビ受信機に接続される外部機器として、ゲーム
機について説明したが、これに限らず、外部機器としては電池で駆動する他の電子機器で
あっても良い。
【図面の簡単な説明】
【００７１】
【図１】本発明の第１の実施形態に係るテレビ受信機における電源部の構成を示すブロック図である。
【図２】第１の実施形態において外部機器用ＤＣ電源の出力電力容量を切り換える動作を説明するためのフローチャートである。
【図３】第１の実施形態において電池の種類を選択するためのメニュー画面の一例を示す図である。
【図４】本発明の第２の実施形態に係るテレビ受信機における電源部の構成を示すブロック図である。
【図５】第２の実施形態において外部機器用ＤＣ電源１４の出力電力容量を切り換える動作を説明するためのフローチャートである。
【図６】第１の実施形態または第２の実施形態においてゲーム機をテレビ受信機に接続する場合の第１の接続例を示す構成図である。
【図７】第１の実施形態または第２の実施形態においてゲーム機をテレビ受信機に接続する場合の第２の接続例を示す構成図である。
【図８】第１の実施形態または第２の実施形態においてゲーム機をテレビ受信機に接続する場合の第３の接続例を示す構成図である。
【図９】従来のテレビ受信機を用いてテレビゲームを行う場合のゲーム機とテレビ受信機との接続状態を示す構成図である。
【符号の説明】
【００７２】
１４    外部機器用ＤＣ電源
１５，１８    出力電力容量切換処理部
１６，６３，８１ａ    外部機器用ＤＣ電源端子
６１    テレビ受信機
６２    ゲーム機
６４    ビデオ入力端子（外部機器用信号入力端子）
６５    左音声入力端子（外部機器用信号入力端子）
６６    右音声入力端子（外部機器用信号入力端子）
６７    ＤＣ電源入力端子
６８    ビデオ出力端子
６９    左音声出力端子
７０    右音声出力端子
７２，７６    電源用ケーブル
７３    ビデオ信号用ケーブル
７４，７５    音声信号用ケーブル
８３    ケーブル
１５１    電池種類／最大出力電流テーブル
１５２，１８６    出力電力容量設定手段
１８１    初期電源出力指示手段
１８２    負荷電流検出手段
１８３    負荷電流／電池種類テーブル
１８４    電池種類決定手段
１８５    電池種類／最大出力電流テーブル
【図１】
2005252697.tif 000003
【図２】
2005252697.tif 000004
【図３】
2005252697.tif 000005
【図４】
2005252697.tif 000006
【図５】
2005252697.tif 000007
【図６】
2005252697.tif 000008
【図７】
2005252697.tif 000009
【図８】
2005252697.tif 000010
【図９】
2005252697.tif 000011